(57)【要約】【課題】被洗浄物の表面に付着したマイクロバブル、ナノバブル等の微細気泡を確実に圧壊させることにより洗浄効果を高めた微細気泡洗浄装置の提供。【解決手段】  洗浄液を貯水するとともに、被洗浄物を浸漬する洗浄槽１０と、洗浄槽１０に配設されて洗浄液に超音波振動を供給する超音波振動子２０と、洗浄槽１０へ微細気泡を含む洗浄液を供給する微細気泡発生ノズル４０ａ，４０ｂ，４０ｃとを備えるする微細気泡洗浄装置１による。この微細気泡洗浄装置１によれば、超音波振動子２０が、被洗浄物の表面に付着した微細気泡を確実に圧壊させるので、この圧壊の際に生じる衝撃力で被洗浄物の表面に付着した異物等の汚れを分離させることができる。【選択図】図１
2018015747.tif 000002
【特許請求の範囲】
【請求項１】
洗浄液を貯水するとともに、被洗浄物を浸漬する洗浄槽と、
前記洗浄槽に配設されて洗浄液に超音波振動を供給する超音波振動子と、
前記洗浄槽へ微細気泡を含む洗浄液を供給する微細気泡発生ノズルと、
を備えることを特徴とする微細気泡洗浄装置。
【請求項２】
前記超音波振動子は、超音波振動を間欠供給することを特徴とする請求項１に記載の微
細気泡洗浄装置。
【発明の詳細な説明】
【技術分野】
【０００１】
本発明は、マイクロバブル、ナノバブル等を含む洗浄液を、被洗浄物に向かって噴射し
て被洗浄物を洗浄する微細気泡洗浄装置に関する。
【背景技術】
【０００２】
従来、洗浄液を貯留する洗浄槽と、洗浄槽に取り付けられた、気泡を洗浄槽内に噴射す
る気泡噴射手段と、異物が付着した被洗浄体を洗浄槽内の洗浄液に浸漬させる昇降機構と
を備えた洗浄装置が知られている（例えば、特許文献１参照）。この洗浄装置は、昇降機
構によって被洗浄体が洗浄液に浸漬され、気泡噴射手段から噴射される気泡によって、被
洗浄体に付着した異物を被洗浄体から分離するように構成されており、分離した浮上物は
、気泡とともに洗浄液の液面に向かって浮上する。
【先行技術文献】
【特許文献】
【０００３】
【特許文献１】特開平６−１７９９９１号公報
【発明の概要】
【発明が解決しようとする課題】
【０００４】
マイクロバブルあるいはナノバブル等の微細気泡による洗浄原理は、微細気泡が被洗浄
物に衝突した際に、マイクロバブルが壊れる圧壊という現象を利用するものであり、 こ
の圧壊の際に生じる衝撃力を利用することで、被洗浄物の表面に付着した異物を被洗浄体
から分離させることができる。 しかしながら、従来の洗浄装置は、被洗浄物の表面にマ
イクロバブルが付着するだけで圧壊が生じないことがあったため、被洗浄物を洗浄するこ
とができない問題がああった。
【０００５】
この発明は、上述のような問題点を解決することを課題とするものであって、その目的
は、被洗浄物の表面に付着したマイクロバブル、ナノバブル等の微細気泡を確実に圧壊さ
せることにより洗浄効果を高めた微細気泡洗浄装置を提供するものである。
【課題を解決するための手段】
【０００６】
洗浄液を貯水するとともに、被洗浄物を浸漬する洗浄槽と、前記洗浄槽に配設されて洗
浄液に超音波振動を供給する超音波振動子と、前記洗浄槽へ微細気泡を含む洗浄液を供給
する微細気泡発生ノズルと、を備えることを特徴とする微細気泡洗浄装置による。
【０００７】
また、前記超音波振動子は、超音波振動を間欠供給することが好ましい。
【発明の効果】
【０００８】
本発明の微細気泡洗浄装置によれば、超音波振動子が、被洗浄物の表面に付着した微細
気泡を確実に圧壊させるので、この圧壊の際に生じる衝撃力で被洗浄物の表面に付着した
異物等の汚れを分離させることができる。
【０００９】
また、超音波振動子による振動が間欠的に付与されるので、被洗浄物の表面に微細気泡
が万遍なく付着してから超音波振動を付与して微細気泡を圧壊させるため、洗浄効果を高
めることができる。
【図面の簡単な説明】
【００１０】
【図１】本発明の微細気泡洗浄装置の全体構成図である。
【図２】本発明の微細気泡洗浄装置の他の実施形態に係る全体構成図である。
【発明を実施するための形態】
【００１１】
以下、本発明の実施形態について、図面を参照して説明する。図１は、本発明の微細気
泡洗浄装置１を模式的に示した概略図である。この微細気泡洗浄装置１は、洗浄槽１０、
超音波振動子２０、オーバーフロー槽３０、微細気泡発生ノズル４０ａ，４０ｂ，４０ｃ
および洗浄液循環系５０を有する。
【００１２】
前記洗浄槽１０は、内部に洗浄液を貯水するとともに、オーバーフローした洗浄液が流
入するオーバーフロー枠１１を備えている。また、洗浄槽１０の内部には、籠１２が配設
されており、ここに被洗浄物の一例としてねじＳを貯留するように構成されている。
【００１３】
オーバーフロー枠１１の排水口（図示せず）には、配管３１を介してオーバーフロー槽
３０が接続されている。オーバーフロー槽３０は、洗浄槽１０のオーバーフロー枠１１か
らオーバーフローした洗浄液を一時的に貯水するとともに、浄化するように構成されてい
る。
【００１４】
オーバーフロー槽３０の排水口（図示せず）には、配管５１を介して洗浄液循環系５０
が接続されている。配管５１には、溶解タンク５２が接続されており、配管５１の途中に
設けられた昇圧ポンプ５３が、オーバーフロー槽３０から洗浄液を汲み上げて溶解タンク
５２へ圧送するように構成されている。
【００１５】
さらに、配管５１には、気体流入口５４が設けてあり、酸素、オゾン等の気体を吸引で
きるようになっている。このため、溶解タンク５２には、気体と洗浄液の混合体が供給さ
れ、昇圧ポンプ５３の加圧力によって気体が洗浄液に加圧溶解するように構成されている
。
【００１６】
溶解タンク５２の排出口（図示せず）から洗浄槽へ延びる配管５５は途中で三本に分岐
しており、その先端には微細気泡発生ノズル４０ａ，４０ｂ，４０ｃが接続されている。
この微細気泡発生ノズル４０ａ，４０ｂ，４０ｃは、気液二相流体を高速旋回させて、せ
ん断力によりマイクロバブルを生成するように構成されている。また、微細気泡発生ノズ
ル４０ａ，４０ｂ，４０ｃは、洗浄槽１０の内部において上流側側面１０ａの下方に取り
付けられており、下流側側面１０ｂに向けてマイクロあるいはナノバブル等の微細気泡を
含む洗浄液を噴射するように構成されている。
【００１７】
洗浄槽１０の上流側側面１０ａから洗浄槽１０の内部へ供給される洗浄液は、図１の矢
印Ａで示すように、洗浄槽１０の底面１０ｃに沿って下流側側面１０ｂに向かって流れる
。また、洗浄槽の下流側側面に当たった洗浄液は、矢印Ｂで示すように、逆方向に流れる
。このようにして、微細気泡発生ノズルは、被洗浄物を中心にして洗浄液が循環するよう
に配設されている。
【００１８】
超音波振動子２０は、洗浄槽１０の底面１０ｃの下部に配置されており、洗浄液を介し
て被洗浄物に超音波振動を付与するように構成されている。
【００１９】
本発明の微細気泡洗浄装置１では、前述したとおり、被洗浄物を中心にしてマイクロバ
ブルを含む洗浄液を循環するため、被洗浄物の表面全体に万遍なくマイクロバブルが付着
する。そして、被洗浄物に超音波振動を付与することによって、マイクロバブルを強制的
に破砕させる。破砕によって被洗浄物の周囲では衝撃波が発生するので、被洗浄体の表面
の汚れを落とすことができる。また、超音波振動は、連続ではなく間欠で付与される。な
ぜならば、被洗浄体の周囲にマイクロバブルが付着していない状態では、破砕による衝撃
波が発生しないので、超音波振動を付与したところで、十分な洗浄効果を得られない。そ
こで、超音波振動は、被洗浄体の周囲にマイクロバブルが十分に付着した状態で付与され
ることが好ましい。
【００２０】
なお、図２に示す微細気泡洗浄装置１００は、本発明の他の実施形態であり、前述の微
細気泡洗浄装置１において、オーバーフロー槽３０を取り除いたものである。このような
形態であっても、ある程度の洗浄効果は期待できる。
【符号の説明】
【００２１】
１    微細気泡洗浄装置
１０  洗浄槽
２０  超音波振動子
３０  オーバーフロー槽
４０ａ，４０ｂ，４０ｃ  微細気泡発生ノズル
５０  洗浄液循環系
【図１】
2018015747.tif 000003
【図２】
2018015747.tif 000004